(57)【要約】【課題】繰り返しの仕掛けの投入による釣果の低下を抑制し、長時間釣果が持続するハギ釣り仕掛け用具及びこれを用いた仕掛けを提供する。【解決手段】上端側及び下端側にそれぞれ網カゴ取付部及び錘取付部を有する略直線状の軸線部と、当該軸線部の網カゴ取付部と錘取付部の間において、略同一点から外方向に延在し、先端に釣針取付部を有する２〜６本の枝部と、を有し、隣接する枝部が成す角度が略同一であり、上記略同一点から錘取付部を結ぶ直線と、上記略同一点から釣針取付部を結ぶ直線と、が成す角度が３０〜６０°であり、釣針取付部から軸線部への垂線と軸線部との交点と、網カゴ取付部と、の長さが２０〜３５ｃｍであること、を特徴とするハギ釣り仕掛け用具。【選択図】図１
2015149973.tif 000002
【特許請求の範囲】
【請求項１】
上端側及び下端側にそれぞれ網カゴ取付部及び錘取付部を有する略直線状の軸線部と、
前記軸線部の前記網カゴ取付部と前記錘取付部の間において、略同一点から外方向に延在し、先端に釣針取付部を有する２〜６本の枝部と、
を有し、
隣接する前記枝部が成す角度が略同一であり、
前記略同一点から前記錘取付部を結ぶ直線と、前記略同一点から前記釣針取付部を結ぶ直線と、が成す角度が３０〜６０°であり、
前記釣針取付部から前記軸線部への垂線と前記軸線部との交点と、前記網カゴ取付部と、の長さが２０〜３５ｃｍであること、
を特徴とするハギ釣り仕掛け用具。
【請求項２】
前記枝部が４本であり、
隣接する前記枝部が成す角度が略９０°であること、
を特徴とする請求項１に記載のハギ釣り仕掛け用具。
【請求項３】
前記枝部同士、及び／又は前記枝部と前記軸線部とが支柱によって接合され、
前記枝部が補強されていること、
を特徴とする請求項１又は２に記載のハギ釣り仕掛け用具。
【請求項４】
前記網カゴ取付部から前記錘取付部までの長さが１５〜１００ｃｍであること、
を特徴とする請求項１〜３のいずれかに記載のハギ釣り仕掛け用具。
【請求項５】
前記軸線部、前記枝部、及び前記支柱が全てステンレス鋼製であること、
を特徴とする請求項１〜４のいずれかに記載のハギ釣り仕掛け用具。
【請求項６】
前記枝部にＷフック又はＳフックを有していること、
を特徴とする請求項１〜５のいずれかに記載のハギ釣り仕掛け用具。
【請求項７】
請求項１〜６のいずれかに記載のハギ釣り用仕掛け用具を用い、
前記網カゴ取付部に網カゴを接続し、
前記錘取付部に錘を接続し、
前記釣針取付部に２〜４本針型のギャング針を接続していること、
を特徴とするハギ釣り用仕掛け。
【発明の詳細な説明】
【技術分野】
【０００１】
本発明はハギ釣り仕掛け用具及びこれを用いた仕掛けに関し、より具体的には、繰り返しの仕掛けの投入による釣果の低下を抑制し、長時間釣果が持続するハギ釣り仕掛け用具及びこれを用いた仕掛けに関する。
【背景技術】
【０００２】
近年、釣り人口が増加し、子供から女性まで多くの人が手軽に海釣りを楽しむようになっている。一般的に、ハギは餌取りとして嫌われているが、美味であることから、ハギを目的とした釣りも盛んに行われている。
【０００３】
しかしながら、ハギはあたりを判断し難いために釣り竿を合わせてもなかなか釣れず、釣り針のハリスがすぐに傷むという問題があった。
【０００４】
これに対し、特許文献１（特開２００１−２４５５６６号公報）では、カワハギを釣るのに適した仕掛けであって、上端側に道糸が結ばれる糸状体の下端側には重錘が懸垂され、糸状体の途中には少なくとも１つの取付基部が固定され、当該複数の各取付基部には金属ワイヤー線が巻付けられて上記糸状体に対してほぼ直角の角度をなして固定され、当該金属ワイヤー線が複数の金属細線を縒り合わせてなり、当該金属ワイヤー線の先端には釣り針が上記金属ワイヤー線の弾性にて針先端を上方に指向させて取付けられていること、を特徴とするカワハギ釣り用仕掛けが提案されている。
【０００５】
上記特許文献１に開示されているカワハギ釣り用仕掛けは、ハリスに金属ワイヤー線を用いており、カワハギが釣り針を餌ごと口に吸い込んでもハリスが傷むことがない。また、金属ワイヤー線の弾性を利用して釣り針の先端を上方に指向させるようにしており、カワハギが上方から餌をつついて口の内に吸い込むと、釣り針の先端がカワハギの口に自然と喰い込み、素人の釣り人であっても確実にカワハギを釣り上げることができる、としている。
【０００６】
また、特許文献２（特開２００１−２３１４１９号公報）では、釣り糸と同一直線状にある軸に対して回転自在な状態で設けられた回転体と、当該回転体から外方向に延在し、かつ釣り針を把持することができる枝部材と、を備えたこと、を特徴とするカワハギ釣り用仕掛けが提案されている。
【０００７】
上記特許文献２に開示されているカワハギ釣り用仕掛けは、回転体が軸に対して回転自在に設けられており、かつ釣針を把持する枝部材が回転体から外方向に延在しているので、回転体は、海中の水流によって枝部材が下流方向を向くように回転する。よって、枝部材に把持された釣り針が常に下流方向を向いているので、カワハギは、釣針に付けられた餌を食べ易く、容易に釣針に掛かる、としている。
【０００８】
また、素人でも容易にハギを釣ることができる方法として、ギャング針を用いた釣り方が知られている。ギャング針とは、魚の口に針を掛けて釣るのではなく、体に引っ掛けるためのもので、通常は２〜４本の針がまとまったフック型となっている。
【０００９】
ギャング針を使用してハギを釣る場合は、仕掛けの上に網カゴを設け、当該網カゴに網エビ等の餌を充填する。竿を上下に移動させると網カゴから餌が放出され、当該餌を目的として集まったハギをキャング針で引っ掛けることでハギを釣ることができる。
【先行技術文献】
【特許文献】
【００１０】
【特許文献１】特開２００１−２４５５６６号公報
【特許文献２】特開２００１−２３１４１９号公報
【発明の概要】
【発明が解決しようとする課題】
【００１１】
上記特許文献１及び特許文献２に開示されているカワハギ釣り用仕掛けでは、従来の仕掛けと比較するとカワハギが針を吸い込みやすくなるものの、あたりを判断するのは容易ではなく、釣果の大幅な増加を達成することは困難である。
【００１２】
また、上記ギャング針を用いた釣り方においては、ハギのあたりを考慮する必要がなく、効果的にハギを釣ることができるが、仕掛けの投入を繰り返すことによってハギが学習し、釣果が急速に低下してしまう。
【００１３】
以上のような従来技術における問題点に鑑み、本発明の目的は、繰り返しの仕掛けの投入による釣果の低下を抑制し、長時間釣果が持続するハギ釣り仕掛け用具及びこれを用いた仕掛けを提供することにある。
【課題を解決するための手段】
【００１４】
本発明者らは、上記目的を達成すべく、ハギ釣り仕掛け用具及びこれを用いた仕掛けの構成について鋭意研究を重ねた結果、ギャング針と網カゴ等の相対位置関係等を最適化するように、ハギ釣り仕掛け用具及びこれを用いた仕掛けの形状等を決定することが極めて有効であることを見出し、本発明に到達した。
【００１５】
即ち、本発明は、
上端側及び下端側にそれぞれ網カゴ取付部及び錘取付部を有する略直線状の軸線部と、
前記軸線部の前記網カゴ取付部と前記錘取付部の間において、略同一点から外方向に延在し、先端に釣針取付部を有する２〜６本の枝部と、を有し、
隣接する前記枝部が成す角度が略同一であり、
前記略同一点から前記錘取付部を結ぶ直線と、前記略同一点から前記釣針取付部を結ぶ直線と、が成す角度が３０〜６０°であり、
前記釣針取付部から前記軸線部への垂線と前記軸線部との交点と、前記網カゴ取付部と、の長さが２０〜３５ｃｍであること、
を特徴とするハギ釣り仕掛け用具を提供する。
【００１６】
なお、本発明において、「ハギ」とはフグ目・カワハギ科に分類される魚（英名：Ｔｈｒｅａｄ−ｓａｉｌ  ｆｉｌｅｆｉｓｈ，学名：Ｓｔｅｐｈａｎｏｌｅｐｉｓ  ｃｉｒｒｈｉｆｅｒ）を意味し、ハゲ、マルハゲ、カワハゲ、カワハギ、バクチ、バクチウオ、メンボウ、メイボ、キュウロッポ、ゲバチロ等と称呼されることもある。
【００１７】
本発明のハギ釣り仕掛け用具においては、前記枝部が４本であり、隣接する前記枝部が成す角度が略９０°であること、が好ましい。
【００１８】
また、本発明のハギ釣り仕掛け用具においては、前記枝部同士、及び／又は前記枝部と前記軸線部とが支柱によって接合され、前記枝部が補強されていること、が好ましい。
【００１９】
また、本発明のハギ釣り仕掛け用具においては、前記網カゴ取付部から前記錘取付部までの長さが１５〜１００ｃｍであること、が好ましく、前記軸線部、前記枝部、及び前記支柱が全てステンレス鋼製であること、が好ましい。
【００２０】
更に、本発明のハギ釣り仕掛け用具においては、前記枝部にＷフック又はＳフックを有していること、が好ましい。なお、Ｗフック又はＳフックは市販のものを使用することができ、ハギに認識され難い小型のものを上向きに取り付けることが好ましい。
【００２１】
本発明のハギ釣り用仕掛けは、
上記本発明のハギ釣り用仕掛け具を用い、
前記網カゴ取付部に網カゴを接続し、
前記錘取付部に錘を接続し、
前記釣針取付部に２〜４本針型のギャング針を接続していること、
を特徴とするハギ釣り用仕掛けを提供する。
【００２２】
本発明のハギ釣り用仕掛けにおいては、２〜４本針型のギャング針を用いることで効率的にハギを引っ掛けることができる。なお、ハギの取り外し等を考慮して、返しを有さないギャング針を用いることが好ましい。
【発明の効果】
【００２３】
本発明によれば、繰り返しの仕掛けの投入による釣果の低下を抑制し、長時間釣果が持続するハギ釣り仕掛け用具及びこれを用いた仕掛けを提供することができる。
【図面の簡単な説明】
【００２４】
【図１】本発明の実施形態の一例に係るハギ釣り仕掛け用具の概略側面図である。
【図２】本発明の実施形態の一例に係るハギ釣り仕掛け用具の概略正面図である。
【図３】本発明の実施形態の一例に係るハギ釣り用仕掛けの概略側面図である。
【図４】本発明の実施形態の一例に係るハギ釣り用仕掛けの概略正面図である。
【発明を実施するための形態】
【００２５】
以下、図面を参照しながら本発明のハギ釣り仕掛け用具及びこれを用いた仕掛けの代表的な実施形態について詳細に説明するが、本発明はこれらのみに限定されるものではない。なお、以下の説明では、同一又は相当部分には同一符号を付し、重複する説明は省略する場合がある。また、図面は、本発明を概念的に説明するためのものであるから、表された各構成要素の寸法やそれらの比は実際のものとは異なる場合もある。
【００２６】
１．ハギ釣り仕掛け用具
図１は、本発明の実施形態の一例に係るハギ釣り仕掛け用具の概略側面図であり、枝部が４本のものを例示している。ハギ釣り仕掛け用具１は、上端側に網カゴ取付部２を、下端側に錘取付部４をそれぞれ有する略直線状の軸線部６と、軸線部６の略同一点ａから外方向に延在し、先端に釣針取付部８を有する４本の枝部１０と、を有している。
【００２７】
ハギ釣り仕掛け用具１において、ａから錘取付部４を結ぶ直線と、ａから釣針取付部８を結ぶ直線と、が成す角度（α）は３０〜６０°である。当該角度を６０°以下とすることで、水中においてハギ釣り仕掛け用具１を引き上げる際に枝部１０に印加される力を低減することができ、ハギ釣り仕掛け用具１を円滑に移動させることができるだけでなく、軸線部６からの枝部１０の破断を防止できる。加えて、釣針取付部８と網カゴ取付部２との距離が近くなり過ぎ、網カゴ取付け部に接続された網カゴから放出される餌に引き寄せられたハギが、釣針を認識して逃げやすくなるという現象を防止することができる。
【００２８】
一方で、αを３０°以上とすることで、釣針取付部８と軸線部６との距離を適度に保つことができ、釣針取付部８に接続された釣針にハギが掛かった場合に生じる、仕掛けが絡まる等の不具合を防止することができる。
【００２９】
また、釣針取付部８から軸線部６への垂線と軸線部６との交点（ｂ）と、網カゴ取付部２と、の長さ（Ａ）は２０〜３５ｃｍである。当該長さを２０〜３５ｃｍとすることで、網カゴ取付部２に接続された網カゴから放出される餌に引き寄せられたハギが釣針を認識し難く、ハギが当該餌にアプローチしている際に釣針を接続したハギ釣り仕掛け用具１を引き上げることで、極めて効果的にハギを引っ掛けることができる。ここで、上述の通り、ハギは釣針を認識し難いため、ハギ釣り仕掛け用具１の投入を繰り返すことによる釣果の低減を抑制することができる。
【００３０】
図２は、本発明の実施形態の一例に係るハギ釣り仕掛け用具の概略正面図であり、枝部が４本のものを例示している。ハギ釣り仕掛け用具１においては、４本の枝部１０が軸線部６の略同一点ａから外方向に延在している。隣接する枝部１０が成す角度βは略９０°であり、枝部１０は略等間隔で形成されている。βを略９０°とすることで、釣針取付部８同士の距離を十分確保することができ、釣針取付部８に接続された釣針にハギが掛かった場合、仕掛けが絡まる等の不具合を抑制することができる。加えて、釣針を等間隔に配置することができ、効率的にハギを引っ掛けることができる。
【００３１】
なお、角度βは、枝部１０が２本の場合は略１８０°、３本の場合は略１２０°、４本の場合は略９０°、５本の場合は略７２°、６本の場合は略６０°となる。
【００３２】
また、ハギ釣り仕掛け用具１においては、枝部１０同士、及び／又は枝部１０と軸線部６とが支柱１２によって接合され、枝部１０が補強されていることが好ましい。枝部１０が補強されることにより、釣針に大きなハギが掛かった場合や複数のハギが掛かった場合でも、ハギ釣り仕掛け用具１が破損することがない。また、ハギ釣り仕掛け用具１の弾性変形及び塑性変形を抑制でき、仕掛けが絡まる等の不具合を防ぐことができる。
【００３３】
更に、ハギ釣り仕掛け用具１においては、網カゴ取付部２から錘取付部４までの長さ（Ｂ）が１５〜１００ｃｍであること、が好ましい。網カゴ取付部２から錘取付部４までの長さを１５〜１００ｃｍとすることで、釣針が根掛かりすることなく、かつ、好感度に、錘取付部４に接続した錘を用いて底取りをすることができる。
【００３４】
軸線部６、枝部１０、及び支柱１２は、全てステンレス鋼製であることが好ましい。軸線部６、枝部１０、及び支柱１２をステンレス鋼製とすることで、ハギ釣り用仕掛け用具１に求められる機械的強度及び耐食性を両立することができる。また、軸線部６、枝部１０、及び支柱１２がステンレス鋼製の場合、それらの直径は１．４〜２．５ｍｍとすることが好ましい。
【００３５】
枝部１０には、市販のＷフック又はＳフックを取り付けることが好ましく、ハギに認識され難い小型のものを上向きに取り付けることがより好ましい（図示せず）。なお、Ｗフック又はＳフックには、返しのあるもの又は返しのないものを使用することができる。
【００３６】
なお、ハギ釣り仕掛け用具１の製造に関し、ハギ釣り仕掛け用具１に求められる機械的強度が得られる限りにおいて、各部位の接合方法は特に限定されず、はんだ接合、抵抗溶接、ワイヤ等を用いた機械的締結、及び接着剤を用いた接着等を適宜用いることができる。
【００３７】
２．ハギ釣り用仕掛け
図３及び図４は、それぞれ本発明の実施形態の一例に係るハギ釣り用仕掛けの概略側面図及び概略正面図であり、枝部が４本のものを例示している。ハギ釣り用仕掛け２０は、本発明のハギ釣り仕掛け用具１を用いており、ハギ釣り仕掛け用具１の網カゴ取付部２に網カゴ２２を接続し、錘取付部４に錘２４を接続し、釣針取付部８に２〜４本針型のギャング針２６を接続しているものである。
【００３８】
ギャング針２６はナイロン製等の釣糸を用いて釣針取付部８に直接結び付けてもよいが、市販のサルカンフック２８を介して接続することが好ましい。
【００３９】
なお、網カゴ２２及び錘２４は市販のものを使用することができ、釣り場の環境等に合わせて適宜サイズ及び重さ等を選定すればよい。ここで、錘２４には１０〜２００号のものを好適に用いることができ、ウキ釣りの場合は１０〜１５号を好適に用いることができる。
【００４０】
以上、本発明のハギ釣り仕掛け用具及びこれを用いた仕掛けの代表的な実施形態について説明したが、本発明はこれらのみに限定されるものではなく、種々の設計変更が可能であり、それら設計変更は全て本発明の技術的範囲に含まれる。
【符号の説明】
【００４１】
１・・・ハギ釣り仕掛け用具、
２・・・網カゴ取付部、
４・・・錘取付部、
６・・・軸線部、
８・・・釣針取付部、
１０・・・枝部、
１２・・・支柱、
２０・・・ハギ釣り用仕掛け、
２２・・・網カゴ、
２４・・・錘、
２６・・・ギャング針、
２８・・・サルカンフック。
【図１】
2015149973.tif 000003
【図２】
2015149973.tif 000004
【図３】
2015149973.tif 000005
【図４】
2015149973.tif 000006